(57)【要約】【課題】光半導体装置を高集積化および多機能化させるとともに、高周波信号を効率よく伝送させ得るものとし、また内部の気密信頼性を向上させ、光半導体素子を長期にわたり正常かつ安定に作動させ得るものとすること。【解決手段】光半導体素子収納用パッケージは、貫通穴１ａを有する平板状の基体１と、貫通穴１ａに嵌着された入出力端子５と、貫通孔３ｂの開口の周囲に透光性部材４が接合され、基体１に接合される蓋体３とを具備しており、入出力端子５は、線路導体５ｃが形成された四角形状の平板部５ｂおよび直方体状の立壁部５ａから成る入出力部５ｄと、平板部５ｂに接合された、上端部が平板部５ｂよりも上方に突出している四角形状の金属板１０と、金属板１０に接合された、光半導体素子２の載置部を有する基台８とを具備しており、金属板１０は、入出力部５ｄよりも薄くかつ横方向の幅が小さくされている。【選択図】  図１
2004253557.tif 000002
【特許請求の範囲】
【請求項１】
上下主面間を貫通する貫通穴を有する平板状の金属製の基体と、前記貫通穴に嵌着され、前記基体の前記上下主面間を貫通するように線路導体が形成された入出力端子と、上端面の中央部に貫通孔が形成されているとともに下端が開かれた筒状とされており、前記貫通孔の上端面側開口の周囲に透光性部材が接合され、前記基体の上側主面の外周部にその下端で接合される金属製の蓋体とを具備しており、前記入出力端子は、一主面に一辺から対向する他辺にかけて前記線路導体が形成された誘電体から成る四角形状の平板部および該平板部の前記一主面に前記線路導体の一部を間に挟んで接合された誘電体から成る直方体状の立壁部から成る入出力部と、前記平板部の他主面に接合された、上端部が前記平板部よりも上方に突出している四角形状の金属板と、該金属板の前記平板部が接合されている面の前記上端部に接合された、一面に光半導体素子を載置する載置部を有するセラミックス製の基台とを具備しており、前記金属板は、前記入出力部よりも薄くかつ横方向の幅が小さくされていることを特徴とする光半導体素子収納用パッケージ。
【請求項２】
請求項１記載の光半導体素子収納用パッケージの前記載置部に光半導体素子が載置固定されているとともに前記線路導体に電気的に接続され、前記透光性部材を前記光半導体素子に対向させて前記基体の上側主面の外周部に前記蓋体の下端が接合されていることを特徴とする光半導体装置。
【発明の詳細な説明】
【０００１】
【発明の属する技術分野】
本発明は、光通信等の分野に用いられる光半導体素子を収納するための光半導体素子収納用パッケージおよび光半導体装置に関する。
【０００２】
【従来の技術】
従来の光通信等の分野において高い周波数で作動する半導体レーザ（ＬＤ），フォトダイオード（ＰＤ）等の光半導体素子を気密封止して収納した光半導体装置の例を図２に示す。図２は光半導体素子としてＬＤを内部に収納した光半導体装置の断面図である。同図において、２１は基体、２２は光半導体素子、２３は金属製の蓋体、２４は透光性部材、２５は外部接続用ピン、２６は光ファイバである。これらの基体２１、外部接続用ピン２５、および透光性部材２４が接合された蓋体２３で光半導体素子収納用パッケージが基本的に構成される。また、光半導体素子収納用パッケージに光半導体素子２２を搭載し、蓋体２３を接合することにより光半導体装置となる。
【０００３】
基体２１は鉄（Ｆｅ）−ニッケル（Ｎｉ）−コバルト（Ｃｏ）合金や銅（Ｃｕ）−タングステン（Ｗ）合金等の金属から成り、その上側主面の略中央部には、光半導体素子２２が、アルミナ（Ａｌ２Ｏ３）質焼結体等のセラミックスから成る略直方体の基台２８を介して基体２１の上側主面に発光部を上側に向けて搭載固定される。この構成により、光半導体素子２２から発する光信号が基体２１の上方へ出射されることとなる。また、基体２１には、Ｆｅ−Ｎｉ合金やＦｅ−Ｎｉ−Ｃｏ合金等の金属からなる外部接続用ピン２５を挿通させるために上下主面間を貫通する貫通孔２１ａが形成されており、貫通孔２１ａに光半導体装置内外を導通する端子としての外部接続用ピン２５が挿通されるとともに、外部接続用ピン２５と貫通孔２１ａとの隙間にガラス等の誘電体から成る接合材が充填され、基体２１と外部接続用ピン２５とが気密に接合される。これにより、外部接続用ピン２５が光半導体装置内外を導通する端子として機能する。
【０００４】
なお、基台２８に搭載された光半導体素子２２は、その電極が外部接続用ピン２５の光半導体素子２２側の先端とボンディングワイヤ２９等を介して電気的に接続されている。
【０００５】
また、基体２１の上側主面の外周部に接合され、上端が閉じられ下端が開かれた筒状であり上端面２３ａの中央部に貫通孔２３ｂが形成された、Ｆｅ−Ｎｉ−Ｃｏ合金等の金属から成る蓋体２３が設けられている。蓋体２３の下端２３ｃは、例えば図２のような鍔状となっており、これにより基体２１と蓋体２３との接合面積が大きくなり、基体２１と蓋体２３とで構成される容器内部の気密信頼性が向上する。
【０００６】
さらに、貫通孔２３ｂを塞ぐように、貫通孔２３ｂの上端面２３ａ側開口の周囲に透光性部材２４が接合されている。透光性部材２４はガラスやサファイア等から成る円板状，レンズ状，球状または半球状等のものであり、ガラスによる接合や半田付け等により蓋体２３に気密に接合される。
【０００７】
このような基体２１、外部接続用ピン２５、および蓋体２３から主に構成される光半導体素子収納用パッケージに光半導体素子２２を搭載し、蓋体２３を接合して気密に封止することによって光半導体装置となる（例えば、下記の特許文献１参照）。
【０００８】
そして、光ファイバ２６固定用の筒状の金属製の固定部材２７が、蓋体２３の外周の鍔状部に溶接され、光ファイバ２６が固定部材２７の上面の貫通孔に外部から挿通固定されて透光性部材２４の上方に固定され、外部接続用ピン２５の外側の先端部が外部電気回路（図示せず）に電気的に接続される。これにより、外部電気回路から供給される電気信号によって光半導体素子２２にレーザ光等の光を励起させ、この光を透光性部材２４、光ファイバ２６の順に透過させ、光ファイバ２６を介して外部に伝送させることによって、高速光通信等に使用される光半導体装置として機能する。また、この場合、光半導体素子２２から光信号が正常に発光しているか確認するためのモニタ用ＰＤ（図示せず）が搭載されていてもよい。または、外部から光ファイバ２６を介して伝送してくる光信号を、透光性部材２４を透過させ光半導体素子２２に受光させて、光信号を電気信号に変換することによって、高速光通信等に使用される光半導体装置として機能する。
【０００９】
【特許文献１】
特開２０００−１８３３６９号公報
【００１０】
【発明が解決しようとする課題】
しかしながら、上記従来の光半導体装置において、外部接続用ピン２５が基体２１の貫通孔２１ａに挿通されガラス等を介して気密に接合される構成であるため、外部接続用ピン２５の直径寸法の最小加工限界、貫通孔２１ａの孔寸法、隣接する貫通孔２１ａ間の間隔の最小加工限界等の制約があり、そのため、基体２１に外部接続用ピン２５を１本挿入するために大きな面積が必要とされ、基体２１に取り付けられる外部接続用ピン２５の本数が数本に限られるという問題点があった。
【００１１】
さらに、光半導体装置内にはＬＤ，ＰＤ等の光半導体素子２２やモニタ用ＰＤのみが収容され、光半導体素子２２を駆動するためのドライバＩＣは別の半導体素子収納用パッケージ内に収納され、外部電気回路を介してドライバＩＣと光半導体装置とを電気的に接続する必要があり、光半導体素子２２を駆動させるための装置全体が大型化するという問題点もあった。
【００１２】
また、外部接続用ピン２５をガラス等の接合材を介して基体２１に接合しただけの端子構造であるため、外部接続用ピン２５に外部から応力が加わった場合に接合材にクラック等の破損が生じ、光半導体装置内部の気密が損なわれるという問題点があった。
【００１３】
さらに、外部接続用ピン２５の貫通孔２１ａに挿入されていない部位を特性インピーダンスに整合させた信号線路とするのが困難であり、外部接続用ピン２５を伝送する高周波信号が外部接続用ピン２５で反射等して伝送損失が生じ、高周波信号を効率よく伝送できなくなるという問題点もあった。特に、２ＧＨｚ以上の高周波になると伝送効率が著しく劣化し易くなっていた。
【００１４】
また、現在光信号の発光源として用いられるＬＤの多くは、光信号が光半導体素子２２の側面から発光するため、光ファイバ２６の方向に発光させるためには、光半導体素子２２を基体２１の上側主面に対して垂直な面に搭載する必要がある。従って、基体２１の上側主面に基台２８を設け、さらに基台２８の基体２１の上側主面に対して垂直な面に光半導体素子２２を搭載するため、光半導体素子２２と外部接続用ピン２５とをボンディングワイヤ２９により接続する際、作業性が悪く手間がかかるという問題点があった。
【００１５】
従って、本発明は上記問題点に鑑み完成されたものであり、その目的は、光半導体装置に取り付けられる端子数を増やして内部に収容する集積回路素子（ＩＣ）等の部品を増加させ、光半導体装置を高集積化および多機能化させるとともに、高周波信号を効率よく伝送させ得るものとし、また内部の気密信頼性を向上させ、光半導体素子を長期にわたり正常かつ安定に作動させ得るものとすることにある。
【００１６】
【課題を解決するための手段】
本発明の光半導体素子収納用パッケージは、上下主面間を貫通する貫通穴を有する平板状の金属製の基体と、前記貫通穴に嵌着され、前記基体の前記上下主面間を貫通するように線路導体が形成された入出力端子と、上端面の中央部に貫通孔が形成されているとともに下端が開かれた筒状とされており、前記貫通孔の上端面側開口の周囲に透光性部材が接合され、前記基体の上側主面の外周部にその下端で接合される金属製の蓋体とを具備しており、前記入出力端子は、一主面に一辺から対向する他辺にかけて前記線路導体が形成された誘電体から成る四角形状の平板部および該平板部の前記一主面に前記線路導体の一部を間に挟んで接合された誘電体から成る直方体状の立壁部から成る入出力部と、前記平板部の他主面に接合された、上端部が前記平板部よりも上方に突出している四角形状の金属板と、該金属板の前記平板部が接合されている面の前記上端部に接合された、一面に光半導体素子を載置する載置部を有するセラミックス製の基台とを具備しており、前記金属板は、前記入出力部よりも薄くかつ横方向の幅が小さくされていることを特徴とする。
【００１７】
本発明の光半導体素子収納用パッケージは、入出力端子が、一主面に一辺から対向する他辺にかけて線路導体が形成された誘電体から成る四角形状の平板部およびこの平板部の一主面に線路導体の一部を間に挟んで接合された誘電体から成る直方体状の立壁部から成る入出力部と、平板部の他主面に接合された、上端部が平板部よりも上方に突出している四角形状の金属板と、この金属板の平板部が接合されている面の上端部に接合された、一面に光半導体素子を載置する載置部を有するセラミックス製の基台とを具備しており、金属板は、入出力部よりも薄くかつ横方向の幅が小さくされていることから、入出力端子に微細な間隔をもって電極パッド、配線導体および内部配線等を多数形成することができ、その結果、光半導体素子やモニタ用ＰＤだけでなく、光半導体素子を駆動するためのドライバＩＣ等を入出力端子の表面に設けることができ、信号入出力および光半導体素子の駆動や制御をこの入出力端子で行なうことができる。従って、外部電気回路に設けられていたドライバＩＣ等を光半導体装置の内部や入出力端子の外側に実装し高集積化することができることから、光半導体素子を駆動させるための装置全体を小型化できる。
【００１８】
また、貫通穴に入出力端子が嵌着されていることによって、従来のガラス接合された外部接続用ピンに比較して、外部接続用ピンの接合部にクラック等の破損が生じて光半導体装置内部の気密が破れるのを有効に抑制することができる。従って、外部接続用ピンをガラス等の接合材を介して基体の貫通孔に接合した従来の構造に比べ気密信頼性が大幅に向上する。また外部接続用ピンを介すことなく、入出力端子の線路導体で外部電気回路基板に接続することができるため、高周波信号が反射等して伝送損失が生じるのを抑制し、高周波信号の伝送効率を大幅に改善することができる。
【００１９】
さらに、従来のように光半導体素子と外部接続用ピンとをボンディングワイヤにより接続する必要はなく、線路導体と光半導体素子とを同じ金属板の一主面側においてボンディングワイヤにより接続することができるため、ボンディングワイヤによる電気的な接続が容易となるとともに、ボンディングワイヤの長さも短くすることができボンディングワイヤのインダクタンスを小さくして高周波信号の伝送効率を向上させることができる。
【００２０】
また、入出力端子は入出力部の下面に金属板が接合されていることにより、金属板によって入出力部を補強することができるため、入出力部をより薄くすることが可能となり、その結果、入出力端子をより小さくして装置全体の小型化が可能となる。また、金属板により平板部の一主面に設けた線路導体の接地電位を強化することができ、線路導体を伝送する高周波信号の伝送効率をより向上させることができる。さらに、半導体素子の作動により発生した熱を金属板を介して効率よく放熱することができ、光半導体素子が蓄熱によって温度が上昇し誤動作するのを有効に抑制し、光半導体素子を正常に作動させることができる。
【００２１】
さらに、金属板は入出力部よりも薄くかつ横方向の幅が小さくされているため、入出力部と金属板とを接合する際や光半導体素子の作動時に入出力部と金属板との接合部に熱が加わったとしても、熱膨張の大きい金属板を小さくすることで入出力部と金属板との熱膨張差による応力を小さくすることができ、入出力部にクラック等の破損が生ずるのを有効に抑制することができる。また、蓋体の横断面形状が円状の場合、入出力部の横方向の幅をより大きくしようとしたときに金属板の角が蓋体に接触することにより入出力部の幅が制限されることはなく、入出力部の横方向の幅を蓋体の内側の範囲内で最大限に大きくすることができる。その結果、入出力部に形成される線路導体をより多く設けることができ、光半導体装置を小さく維持しながら、線路導体に電気信号を入出力させる端子数を増加させることが可能となる。
【００２２】
本発明の光半導体装置は、上記の光半導体素子収納用パッケージの前記載置部に光半導体素子が載置固定されているとともに前記線路導体に電気的に接続され、前記透光性部材を前記光半導体素子に対向させて前記基体の上側主面の外周部に前記蓋体の下端が接合されていることを特徴とすることを特徴とする。
【００２３】
本発明の光半導体装置は、上記の構成により、上記本発明の光半導体素子収納用パッケージを用いた高周波伝送特性および気密信頼性の優れたものとなる。
【００２４】
【発明の実施の形態】
本発明の光半導体素子収納用パッケージおよび光半導体装置について以下に詳細に説明する。図１（ａ）は本発明の光半導体装置について実施の形態の一例を示す断面図、図１（ｂ）は図１（ａ）の下面図である。
【００２５】
図１において、１は基体、２は光半導体素子、３は金属製の蓋体、４は透光性部材、５は入出力端子、６は光ファイバ、１０は金属板である。これら基体１、入出力端子５、および透光性部材４が接合された蓋体３で光半導体素子収納用パッケージが基本的に構成される。また、光半導体素子収納用パッケージに光半導体素子２を搭載し、蓋体３を接合することにより光半導体装置となる。
【００２６】
本発明の光半導体素子収納用パッケージは、上下主面間を貫通する貫通穴１ａを有する平板状の金属製の基体１と、貫通穴１ａに嵌着され、基体１の上下主面間を貫通するように線路導体５ｃが形成された入出力端子５と、上端面３ａの中央部に貫通孔３ｂが形成されているとともに下端３ｃが開かれた筒状とされており、貫通孔３ｂの上端面３ａ側開口の周囲に透光性部材４が接合され、基体１の上側主面の外周部にその下端で接合される金属製の蓋体３とを具備しており、入出力端子５は、一主面に一辺から対向する他辺にかけて線路導体５ｃが形成された誘電体から成る四角形状の平板部５ｂおよびこの平板部５ｂの一主面に線路導体５ｃの一部を間に挟んで接合された誘電体から成る直方体状の立壁部５ａから成る入出力部５ｄと、平板部５ｂの他主面に接合された、上端部が平板部５ｂよりも上方に突出している四角形状の金属板１０と、この金属板１０の平板部５ｂが接合されている面の上端部に接合された、一面に光半導体素子２を載置する載置部を有するセラミックス製の基台８とを具備しており、金属板１０は、入出力部５ｄよりも薄くかつ横方向の幅が小さくされている構成である。
【００２７】
本発明の基体１は、円板状、長方形等の平板状であり、Ｆｅ−Ｎｉ−Ｃｏ合金やＣｕ−Ｗ合金等の金属のインゴットに圧延加工や打ち抜き加工等の従来周知の金属加工法を施すことによって所定形状に製作される。
【００２８】
また、基体１には、図１（ｂ）に示すように、上下主面間を貫通してなる凸字状の貫通穴１ａが形成されている。この貫通穴１ａの内面には、入出力部５ｄの表面に設けられたメタライズ層および金属板１０が、銀（Ａｇ）ロウ等のロウ材によって接合されることにより、貫通穴１ａを塞ぐようにして入出力端子５が気密に接合される。
【００２９】
本発明の入出力部５ｄは、図１（ａ）に示すように、一主面に一辺から対向する他辺にかけて線路導体５ｃが形成された平板部５ｂおよびこの平板部５ｂの一主面に線路導体５ｃの一部を間に挟んで接合された立壁部５ａから構成される。平板部５ｂおよび立壁部５ａは、Ａｌ２Ｏ３質焼結体，ＡｌＮ質焼結体，３Ａｌ２Ｏ３・２ＳｉＯ２質焼結体等の誘電体から成り、また、線路導体５ｃは、タングステン（Ｗ）やモリブデン（Ｍｏ）等のメタライズ層から成る。
【００３０】
このような入出力部５ｄは以下のようにして作製される。例えば、平板部５ｂおよび立壁部５ａがＡｌ２Ｏ３質焼結体から成る場合、先ず酸化アルミニウム、酸化珪素（ＳｉＯ２）、酸化マグネシウム（ＭｇＯ）および酸化カルシウム（ＣａＯ）等の原料粉末に適当な有機バインダー、可塑剤、溶剤等を添加混合して泥漿状と成す。これを従来周知のドクターブレード法やカレンダーロール法等のテープ成形技術により複数のセラミックグリーンシートを得る。次に、このセラミックグリーンシートに、タングステン（Ｗ）やモリブデン（Ｍｏ）等の高融点金属粉末に適当な有機バインダー、可塑剤、溶剤等を添加混合して得た金属ペーストを、スクリーン印刷法等の厚膜形成技術により印刷塗布して、線路導体５ｃとなるメタライズ層を所定パターンに形成する。また、入出力部５ｄをＡｇロウ等を介して基体１および金属板１０にロウ付けするために、入出力部５ｄの基体１，金属板１０との接合部にも、線路導体５ｃと同様にしてメタライズ層を所定パターンに形成する。しかる後、セラミックグリーンシートを複数枚積層し、これを還元雰囲気中、約１６００℃の温度で焼成することにより製作される。
【００３１】
また、入出力部５ｄは、その表面に基体１との接合のためのメタライズ層を形成せずに焼成し、焼成後に入出力部５ｄの表面をスライス切断加工あるいは研磨加工した後、そのスライス切断面あるいは研磨面にＷやＭｏ等を主成分とする金属ペーストをスクリーン印刷法等の厚膜形成技術により印刷塗布して、これを還元雰囲気中、約１３００℃の温度で焼成することにより製作してもよい。これにより、入出力部５ｄの表面を平坦にすることができ、基体１との接合をより良好にすることができる。
【００３２】
金属板１０は、上端部が平板部５ｂよりも上方に突出している四角形状のＦｅ−Ｎｉ−Ｃｏ合金やＣｕ−Ｗ合金等の金属から成り、そのインゴットに圧延加工や打ち抜き加工等の従来周知の金属加工法を施すことによって所定形状に製作される。
【００３３】
また、金属板１０は入出力部５ｄよりも薄くかつ横方向の幅が小さくされている。即ち、金属板１０の横方向の幅Ａ（図１（ｂ）参照）は入出力部５ｄの幅Ｂに対してＡ＜Ｂであり、金属板１０の厚さＣは入出力部５ｄの厚さＤに対してＣ＜Ｄである。
【００３４】
これにより、金属板１０によって入出力部５ｄを補強することができるため、入出力部５ｄをより薄くすることが可能となり、その結果、入出力端子５をより小さくして装置全体の小型化が可能となる。また、金属板１０により平板部５ｂの一主面に設けた線路導体５ｃの接地電位を強化することができ、線路導体５ｃを伝送する信号の伝送効率をより向上させることができる。さらに、半導体素子２の作動により発生した熱を金属板１０を介して効率よく放熱することができ、光半導体素子２が蓄熱によって温度が上昇し誤動作するのを有効に抑制し、光半導体素子２を正常に作動させることができる。
【００３５】
また、入出力部５ｄと金属板１０とを接合する際や光半導体素子２の作動時に入出力部５ｄと金属板１０との接合部に熱が加わったとしても、熱膨張の大きい金属板１０を小さくすることで入出力部５ｄと金属板１０との熱膨張差による応力を小さくすることができ、入出力部５ｄにクラック等の破損が生ずるのを有効に抑制することができる。また、図１（ｂ）のように、蓋体３の横断面形状が円状の場合、入出力部５ｄの横方向の幅をより大きくしようとしたときに金属板１０の角が蓋体３に接触することにより入出力部５ｄの幅が制限されることはなく、入出力部５ｄの横方向の幅を蓋体３の内側の範囲内で最大限に大きくすることができる。その結果、入出力部５ｄに形成される線路導体５ｃをより多く設けることができ、装置を小さく維持しながら、線路導体５ｃに電気信号を入出力させる入出力端子を増加させることが可能となる。
【００３６】
好ましくは、金属板１０の幅Ａは０．５×Ｂ≦Ａ≦０．９×Ｂであるのがよい。この構成により、金属板１０により線路導体５ｃに対する接地電位を強化しながら、入出力部５ｄと金属板１０との熱膨張差のよる応力が入出力部５ｄに加わってクラック等の破損が生ずるのを有効に防止することができる。Ａ＜０．５×Ｂであると、金属板１０の横断面積が小さくなり線路導体５ｃに対する接地電位の強化が困難になる。また、Ａ＞０．９×Ｂであると、入出力部５ｄに金属板１０との熱膨張差による応力が加わり易くなって入出力部５ｄにクラック等の破損が発生し易くなる。
【００３７】
また、金属板１０の厚さＣは０．３×Ｄ≦Ｃ≦０．７×Ｄであるのがよい。この構成により、金属板１０により線路導体５ｃに対する接地電位を強化しながら、入出力部５ｄと金属板１０との熱膨張差のよる応力が入出力部５ｄに加わってクラック等の破損が生ずるのを有効に防止することができる。Ｃ＜０．３×Ｄであると、入出力部５ｄに対して金属板１０が薄すぎ、入出力部５ｄを補強する効果が小さくなり易い。また、半導体素子２で発生した熱を外部へ放熱する効果も小さくなり易い。また、Ｃ＞０．７×Ｄであると、入出力部５ｄに金属板１０との熱膨張差のよる応力が大きく加わり易くなって入出力部５ｄにクラック等の破損を発生し易くなる。
【００３８】
また、図１（ｂ）に下面図で示すように、金属板１０の平板部５ｂが接合されている面の上端部に、一面に光半導体素子１を載置する載置部を有するセラミックス製の基台８が接合されている。基台８はＡｌ２Ｏ３質焼結体，ＡｌＮ質焼結体，３Ａｌ２Ｏ３・２ＳｉＯ２質焼結体等のセラミックスからなり、基台８の金属板１０に接合される面にはＷ等を主成分とするメタライズ層が形成され、この基台８のメタライズ層がＡｇロウ等のロウ材を介することによって金属板１０に接合されている。
【００３９】
これにより、例えば、基台８をＡｌＮ質焼結体等の熱伝導性のよい誘電体で形成すると、光半導体素子２で発生した熱を良好に金属板１０に伝導させて光半導体素子２を効率よく放熱させることができる。
【００４０】
さらに、基台８に載置される光半導体素子２と線路導体５ｃとは、ボンディングワイヤ９を介して電気的に接続される。あるいは、基台８上に線路導体５ｃと同様の方法で形成した線路導体８ａをボンディングワイヤ９を介して線路導体５ｃおよび光半導体素子２にそれぞれ電気的に接続してもよい。この場合、ボンディングワイヤ９の長さを短くして、そのインダクタンスを小さくするという観点から、線路導体５ｃの上面と線路導体８ａの上面とが平板部５ｂの一主面に対して同じ高さになっていることが好ましい。また、線路導体５ｃと線路導体８ａとが、ボンディングワイヤ９を使用せずに板状の金属片や金属棒により電気的に接続されてもよく、この場合、よりインダクタンスを小さくすることができるとともにインピーダンスの調整も容易となる。
【００４１】
また、基体１の上側主面の外周部には、上端面３ａの略中央部に貫通孔３ｂが形成され下端３ｃが開かれた筒状である蓋体３が設けられる。蓋体３の下端３ｃは、鉛（Ｐｂ）−錫（Ｓｎ）半田等の半田による半田付けや溶接等によって基体１と気密に接合される。なお、下端３ｃは、基体１との接合面積を大きくして、基体１と蓋体３とで構成される容器内部の気密信頼性を向上させるために、図１に示すような鍔状であることが好ましい。
【００４２】
蓋体３は、断面形状（横断面形状）が円形または長方形等の多角形の筒状であり、Ｆｅ−Ｎｉ−Ｃｏ合金等の金属から成り、そのインゴットに圧延加工や打ち抜き加工等の従来周知の金属加工法を施すことによって所定形状に製作される。なお、蓋体３は、筒状部と上端面３ａが個々に製作され、それらをロウ付け、半田付け、溶接等によって接合したものであってもよい。
【００４３】
蓋体３には、貫通孔３ｂを塞ぐように貫通孔３ｂの上端面３ａ側開口の周囲に、透光性部材４がガラス接合や半田付け等により気密に接合される。透光性部材４は、ガラスやサファイア等から成る円板状，レンズ状，球状または半球状等のものであり、球状の場合全周にわたる帯状部で、円板状やレンズ状の場合一主面の外周部で、半球状の場合平面部の外周部で蓋体３に接合される。
【００４４】
本発明において、透光性部材４は貫通孔３ｂの上端面３ａ側開口の周囲に接合されるのが好ましく、この場合以下の点で有利である。即ち、蓋体３の外周の鍔状部に固定部材７を溶接する際の熱が蓋体３に局所的に加わり、蓋体３の透光性部材４との接合面に熱膨張による引っ張り応力が加わると、透光性部材４が蓋体３から剥がれ易くなるが、光半導体装置は内部を気密にするため外側から内側に気圧が加わり易く、気圧によって透光性部材４が蓋体３に押し付けられて剥がれにくくなる。一方、透光性部材４が貫通孔３ｂの上端面３ａの裏面側開口の周囲に接合されていると、熱膨張による応力によって透光性部材４を剥がそうとする引っ張り応力と気圧による圧力とが、透光性部材４が蓋体３から容易に外れてしまうこととなる。
【００４５】
このような光半導体素子収納用パッケージは、基体１の貫通穴１ａに嵌着された入出力端子５に設けられた基台８の載置部に、光半導体素子２をＳｎ−Ｐｂ半田等の低融点ロウ材で載置固定するとともに、線路導体５ｃあるいは線路導体８ａと光半導体素子２とをボンディングワイヤ９で電気的に接続し、しかる後、透光性部材４を光半導体素子２と対向させて光学的に結合させるように蓋体３を基体１の上側主面の外周部にシーム溶接等により接合することにより、光半導体装置となる。
【００４６】
そして、光半導体装置の蓋体３の外周の鍔状部には、光ファイバ６が上端面に固定されたＦｅ−Ｎｉ−Ｃｏ合金等の金属から成る略円筒状の固定部材７の下端面がレーザ溶接法等の溶接によって接合される。光ファイバ６が固定部材７を介して透光性部材４の上方に固定されることにより、光ファイバ６を介して内部に収容する光半導体素子２と外部との光信号の授受が可能となる。
【００４７】
本発明の光半導体装置は、光半導体素子２の電極を外部電気回路に電気的に接続し、製品としての光半導体装置となる。この光半導体装置は、例えば外部電気回路から供給される電気信号によって光半導体素子２にレーザ光等の光を励起させ、この光を透光性部材４、光ファイバ６の順に透過させ、光ファイバ６を介して外部に伝送することによって、高速光通信等に使用される光半導体装置として機能する。
【００４８】
なお、本発明は以上の実施の形態の例に限定されるものではなく、本発明の要旨を逸脱しない範囲内であれば種々の変更を施すことは何等差し支えない。
【００４９】
【発明の効果】
本発明の光半導体素子収納用パッケージは、入出力端子が、一主面に一辺から対向する他辺にかけて線路導体が形成された誘電体から成る四角形状の平板部およびこの平板部の一主面に線路導体の一部を間に挟んで接合された誘電体から成る直方体状の立壁部から成る入出力部と、平板部の他主面に接合された、上端部が平板部よりも上方に突出している四角形状の金属板と、この金属板の平板部が接合されている面の上端部に接合された、一面に光半導体素子を載置する載置部を有するセラミックス製の基台とを具備しており、金属板は、入出力部よりも薄くかつ横方向の幅が小さくされていることから、入出力端子に微細な間隔をもって電極パッド、配線導体および内部配線等を多数形成することができ、その結果、光半導体素子やモニタ用ＰＤだけでなく、光半導体素子を駆動するためのドライバＩＣ等を入出力端子の表面に設けることができ、信号入出力および光半導体素子の駆動や制御をこの入出力端子で行なうことができる。従って、外部電気回路に設けられていたドライバＩＣ等を光半導体装置の内部や入出力端子の外側に実装し高集積化することができることから、光半導体素子を駆動させるための装置全体を小型化できる。
【００５０】
また、貫通穴に入出力端子が嵌着されていることによって、従来のガラス接合された外部接続用ピンに比較して、外部接続用ピンの接合部にクラック等の破損が生じて光半導体装置内部の気密が破れるのを有効に抑制することができる。従って、外部接続用ピンをガラス等の接合材を介して基体の貫通孔に接合した従来の構造に比べ気密信頼性が大幅に向上する。また外部接続用ピンを介すことなく、入出力端子の線路導体で外部電気回路基板に接続することができるため、高周波信号が反射等して伝送損失が生じるのを抑制し、高周波信号の伝送効率を大幅に改善することができる。
【００５１】
さらに、従来のように光半導体素子と外部接続用ピンとをボンディングワイヤにより接続する必要はなく、線路導体と光半導体素子とを同じ金属板の一主面側においてボンディングワイヤにより接続することができるため、ボンディングワイヤによる電気的な接続が容易となるとともに、ボンディングワイヤの長さも短くすることができボンディングワイヤのインダクタンスを小さくして高周波信号の伝送効率を向上させることができる。
【００５２】
また、入出力端子は入出力部の下面に金属板が接合されていることにより、金属板によって入出力部を補強することができるため、入出力部をより薄くすることが可能となり、その結果、入出力端子をより小さくして装置全体の小型化が可能となる。また、金属板により平板部の一主面に設けた線路導体の接地電位を強化することができ、線路導体を伝送する高周波信号の伝送効率をより向上させることができる。さらに、半導体素子の作動により発生した熱を金属板を介して効率よく放熱することができ、光半導体素子が蓄熱によって温度が上昇し誤動作するのを有効に抑制し、光半導体素子を正常に作動させることができる。
【００５３】
さらに、金属板は入出力部よりも薄くかつ横方向の幅が小さくされているため、入出力部と金属板とを接合する際や光半導体素子の作動時に入出力部と金属板との接合部に熱が加わったとしても、熱膨張の大きい金属板を小さくすることで入出力部と金属板との熱膨張差による応力を小さくすることができ、入出力部にクラック等の破損が生ずるのを有効に抑制することができる。また、蓋体の横断面形状が円状の場合、入出力部の横方向の幅をより大きくしようとしたときに金属板の角が蓋体に接触することにより入出力部の幅が制限されることはなく、入出力部の横方向の幅を蓋体の内側の範囲内で最大限に大きくすることができる。その結果、入出力部に形成される線路導体をより多く設けることができ、光半導体装置を小さく維持しながら、線路導体に電気信号を入出力させる端子数を増加させることが可能となる。
【００５４】
本発明の光半導体装置は、上記の光半導体素子収納用パッケージの載置部に光半導体素子が載置固定されているとともに線路導体に電気的に接続され、透光性部材を光半導体素子に対向させて基体の上側主面の外周部に蓋体の下端が接合されていることにより、上記本発明の光半導体素子収納用パッケージを用いた高周波伝送特性および気密信頼性の優れたものとなる。
【図面の簡単な説明】
【図１】（ａ）は本発明の光半導体装置について実施の形態の例を示す断面図であり、（ｂ）は図１（ａ）の下面図である。
【図２】従来の光半導体装置の例を示す断面図である。
【符号の説明】
１：基体
１ａ：貫通穴
２：光半導体素子
３：蓋体
３ａ：上端面
３ｂ：貫通孔
４：透光性部材
５：入出力端子
５ａ：立壁部
５ｂ：平板部
５ｃ：線路導体
５ｄ：入出力部
８：基台
１０：金属板
【図１】
2004253557.tif 000003
【図２】
2004253557.tif 000004